(57)【特許請求の範囲】
【請求項１】
遊技球又はコイン等の遊技媒体を介して遊技が行われ、機体前面の略中央下部に、払出し口から払い出された遊技媒体を受け入れる受け皿を備えてなる遊技機において、
前記受け皿の、少なくとも遊技盤面と略直交する壁部を構成する貯留皿体を、その略中央位置で軸支して側方に回動可能に設け、該貯留皿体を、払い出された遊技媒体を受け入れる定常位置と、側部が下方に回動して貯留皿体上の遊技媒体を自重により側部下方に排出する排出位置とに変換可能とするとともに、
前記貯留皿体の、回動させることにより排出位置に変換される上端下面に、貯留箱の把手部を係合可能な係合部を設けたことを特徴とする遊技機。
【請求項２】
貯留皿体を、左右略対称に形成し、かつ機体の前面から突設された保持部材により、定常位置で水平状に保持するとともに、左右何れかの方向に選択的に回動させることにより、排出位置に変換するようにしたことを特徴とする請求項１に記載した遊技機。
【請求項３】
貯留皿体を、円弧状主壁部と該円弧状主壁部の下端に連成される側壁部とで構成し、その円弧状主壁部の上端側を下方に回動させることにより、排出位置に変換するようにし、さらに円弧状主壁部の上端下面に、貯留箱の把手部を係合可能な係合部を設けたことを特徴とする請求項１に記載した遊技機。
【請求項４】
貯留皿体を、側方に傾斜する傾斜主壁部と該傾斜主壁部の下端に連成される側壁部とで構成し、その傾斜主壁部の上端側を下方に回動させることにより、排出位置に変換するようにし、さらに傾斜主壁部の上端下面に、貯留箱の把手部を係合可能な係合部を設けたことを特徴とする請求項１に記載した遊技機。
【請求項５】
少なくとも貯留皿体を定常位置側に付勢する付勢手段を備え、排出位置に回動された貯留皿体を該付勢手段によって定常位置に自動復帰させるようにしたことを特徴とする請求項３又は請求項４の何れかに記載した遊技機。
【発明の詳細な説明】
【０００１】
【発明の属する技術分野】
本発明は、機体前面の略中央下部に、払出し口から払い出された遊技媒体を受け入れる受け皿を備えてなる遊技機に関する。
【０００２】
【従来の技術】
遊技球を遊技媒体として遊技を行うパチンコ遊技機等の遊技機や、コインを遊技媒体として遊技を行うスロット遊技機等の遊技機にあっては、機体の前面下部に受け皿が設けられており、払出し口から払い出された遊技媒体を受け入れて貯留し得るようになっている。
【０００３】
ところで、パチンコ遊技機にあっては、機体の前面下部に上受け皿と下受け皿が段設されており、上受け皿の遊技球は、球送り機構により一球ずつ発射レール始端の発射位置に自動的に供給され、発射ハンドルの回動操作を介して発射槌で打圧することによって遊技盤面に順次打ち出される。また、遊技盤面の入賞口に遊技球が入賞すると所定数（例えば１５個）の遊技球が賞球として払い出される。この払い出された遊技球は上受け皿に送られるが、入賞口に多数の遊技球が入賞可能となる大当りが発生し、払い出された遊技球で上受け皿が満杯になると自動的に下受け皿側に流れるようになっている。そして、該下受け皿を最終的に遊技球を受け入れる受け皿としている。この受け皿の底壁には、開閉可能な球抜き孔が設けられており、該球抜き孔の開放操作を介して受け皿内の遊技球が下方に排出されることとなる。
【０００４】
また、図１０に示すように、パチンコ遊技機ａの前面側の下方には、カウンター状の受台ｂが各遊技機間に亘って一連に横設されており、該受台ｂ上に載置した移動用の貯留箱ｃで、前記受け皿ｄから排出される遊技球を直下で受け止めることにより、その移し替えを行っている。
【０００５】
一方、スロット遊技機の場合、機体の前面下部に、浅底の矩形状に形成された受け皿が水平状に配設されている。該受け皿は、１，２回の大当りにより払い出されるコインを貯留し得る程度の容量となっており、受け皿がコインで満杯となったときや、遊技をやめるときには、受け皿の手前に移動用の貯留箱を保持した状態で、薄くて摘みにくいコインを受け皿の前壁内面に沿って掻き上げるようにして取り出して、貯留箱への移し替えを行っている。
【０００６】
【発明が解決しようとする課題】
ところで、パチンコ遊技機の場合、遊技者が遊技中に専有し得る受台ｂのスペースは、遊技している当該パチンコ遊技機ａの前面部分に限られ、この専有スペースの横幅は移動用の貯留箱ｃを二個横に並べて置ける程度の広さであるに過ぎない。しかしながら、上述した下受け皿からなる最終的に遊技球を受け入れる受け皿ｄは、機体前面下部の略中央位置に配設されており、しかも該受け皿ｄ内の遊技球を、底壁に設けられた球抜き孔から真下に排出させることしかできないため、受け皿ｄから貯留箱ｃへ遊技球の移し替えを行うには、受台ｂ上で受け皿ｄの真下位置に貯留箱ｃを載置しなければならない。このため、受け皿ｄから移し替えた遊技球で貯留箱ｃが満杯となった場合に、該貯留箱ｃを受台ｂに載置したまま横方向に移動させて、新たな貯留箱ｃを載置するには、図１０に示すように、満杯となった貯留箱ｃ’を隣りの遊技者の専有スペース側まではみ出すほど横方向に移動させなければ、新たな貯留箱ｃを受け皿ｄの真下位置に載置することができないが、このような行為は隣りの遊技者に迷惑を掛けることとなるので許されない。従って、貯留箱ｃが遊技球で満杯となった場合には、その都度、満杯の貯留箱ｃを手で持って受台ｂ上から遊技者の足下等に降ろした後、新たに空の貯留箱ｃを受け皿ｄの真下位置に載置する面倒な作業を行わなければならないという問題点があった。
【０００７】
一方、スロット遊技機にあっては、受け皿内のコインを貯留箱に移し替える際に、受け皿から手で何度もコインを掻き出さなければならないため、時間が掛かり、極めて面倒であるという問題点があった。また、遊技中に大当りが連続的に発生すると、短時間で受け皿が満杯になってしまうため、上記のような手による非能率的なコインの掻き出し作業を頻繁に行わなければならない煩わしさがあった。
【０００８】
本発明は、かかる従来の問題点を解消し得る受け皿を備えた遊技機を提供することを目的とするものである。
【０００９】
【課題を解決するための手段】
本発明は、遊技球又はコイン等の遊技媒体を介して遊技が行われ、機体前面の略中央下部に、払出し口から払い出された遊技媒体を受け入れる受け皿を備えてなる遊技機において、前記受け皿の、少なくとも遊技盤面と略直交する壁部を構成する貯留皿体を、その略中央位置で軸支して側方に回動可能に設け、該貯留皿体を、払い出された遊技媒体を受け入れる定常位置と、側部が下方に回動して貯留皿体上の遊技媒体を自重により側部下方に排出する排出位置とに変換可能とするとともに、前記貯留皿体の、回動させることにより排出位置に変換される上端下面に、貯留箱の把手部を係合可能な係合部を設けたことを特徴とする遊技機である。
【００１０】
ここで、前記受け皿は、遊技盤面と略直交する壁部を構成する貯留皿体と、該貯留皿体の前面を遮蔽する前壁部とを備えてなり、本発明にあっては、貯留皿体のみを回動可能に設けてもよいし、貯留皿体と前壁部とからなる受け皿全体を回動可能に設けてもよい。
【００１１】
かかる構成にあって、受け皿は、その定常位置で払出し口から払い出される遊技媒体を受け入れて貯留することができるとともに、少なくとも貯留皿体を側方に回動させて排出位置に変換することにより、受け皿内の遊技媒体を受け皿の側部下方に自重で排出することができる。これにより、パチンコ遊技機においては、受台７（図３参照）上に載置される貯留箱１９を受け皿の真下位置に配置しなくても遊技球の移し替えが可能となり、隣の遊技者の専有スペースを侵すことなく、二個の貯留箱を横に並べて遊技中の遊技機の正面に配置することができる。また、スロット遊技機においても、コインを側部下方に排出することができるので、受け皿の前壁を乗り越えさせるようにして手で何度もコインを掻き出す必要がなくなり、容易かつ迅速に貯留箱への移し替えを行うことができる。
【００１２】
ここで、前記貯留皿体を左右略対称に形成し、左右何れかの方向に選択的に回動させることにより、排出位置に変換することができる。この貯留皿体としては略円弧状を呈するように形成したものが好適な実施態様として提案され得る。かかる構成にあっては、貯留皿体の回動方向を選択することにより、予め並べて配置した二個の貯留箱の何れにも遊技媒体を簡単に移し替えることが可能となる。
【００１３】
また、貯留皿体を左右非対称に形成し、一方向に回動させることにより、排出位置に変換することができる。この貯留皿体としては、円弧状主壁部と該円弧状主壁部の下端に連成される側壁部とで構成し、その円弧状主壁部の上端側を下方に回動させることにより、排出位置に変換するようにしたり、或いは、貯留皿体を、側方に傾斜する傾斜主壁部と該傾斜主壁部の下端に連成される側壁部とで構成し、その傾斜主壁部の上端側を下方に回動させることにより、排出位置に変換するようにしたものが好適な実施態様として提案され得る。かかる構成にあっては、円弧状主壁部又は傾斜主壁部の上端側を下方に回動させることにより、受け皿の一方の側部下方に遊技媒体を排出させることができる。そして、その排出側に配置した貯留箱が満杯となった場合に、該貯留箱を反対側に移動させることにより、新たに空の貯留箱を排出側に配置することができる。
【００１４】
さらに、上記構成の受け皿にあって、少なくとも該貯留皿体を定常位置側に付勢する付勢手段を備え、排出位置に回動された貯留皿体を該付勢手段によって定常位置に自動復帰させるようにする構成が提案され得る。この構成により、排出位置に回動させた貯留皿体を定常位置にその都度戻す操作が不要となるため、手間が掛からず、また常時は貯留皿体が定常位置に保持され、払出し口から払い出された遊技媒体を円滑に受け入れることができる。
【００１５】
また、上記構成の受け皿にあって、円弧状主壁部又は傾斜主壁部の上端下面に、貯留箱の把手部を係合可能な係合部を設けるようにしてもよい。かかる構成は、特にコインを遊技媒体とするスロット遊技機に好適である。ここで、スロット遊技機にあっては、機体の前面下部に貯留箱を載置する受台がないため、遊技媒体の排出時において、貯留箱を手で保持した状態で貯留皿体を側部下方に回動させなければならないのであるが、上記のように貯留箱の把手部を係合可能な係合部を設けることにより、該係合部に貯留箱の把手部を係合させた状態で貯留箱を押し下げることによって貯留皿体を回動させ得るので、その回動操作を容易に行うことができる。
【００１６】
【発明の実施の形態】
以下に、本発明をパチンコ遊技機に適用した第一実施例を、図１〜図４について説明する。
【００１７】
図１に示すように、パチンコ遊技機を構成する機体１の前面には、遊技盤面を覆うガラス扉２が配設されており、該ガラス扉２の下部に上受け皿３が配設されている。また、機体１の前面の略中央下部には、下受け皿としての受け皿４が配設されており、該受け皿４に臨ませて遊技媒体の払出し口５が機体１の前面下部に開口されている。そして、該払出し口５から払い出される遊技媒体としての遊技球を前記受け皿４で受け入れ得るようになっている。さらに、該受け皿４の右側方には発射ハンドル６が配設されている。
【００１８】
ここで、前記上受け皿３に貯留される遊技球は、発射ハンドル６の回動操作によって遊技盤面に順次打ち出され、図示しない入賞口に入賞すると所定数（例えば１５個）の遊技球が賞球として払い出される。この払い出された遊技球は上受け皿３に送られるが、入賞口に多数の遊技球が入賞可能となる大当りが発生し、払い出された遊技球で上受け皿３が満杯になると、機体１の裏面に配設されている図示しない振り分け通路を遊技球が流下して払出し口５から受け皿４内に放出される。
【００１９】
また、かかるパチンコ遊技機は、左右方向に列設されており、各機体１の前面側の下方には、カウンター状の受台７が各機体１間に亘って一連に横設されている。
【００２０】
前記受け皿４は、図２に示すように、左右略対称となる円弧状に形成された貯留皿体８と、該貯留皿体８の前面を遮蔽する前壁部９とを備えてなる。ここで、該貯留皿体８は、受け皿４の、遊技盤面と略直交する壁部を構成するものであって、この実施例では、貯留皿体８と前壁部９とが一体成形されている。
【００２１】
前記貯留皿体８は、その略中央位置で、機体１の前面から水平状に突出された支軸１０に軸支されて側方に回動可能に設けられており、これによって払い出された遊技球を受け入れる定常位置と、側部が下方に回動して貯留皿体８上の遊技球を自重により側部下方に排出する排出位置とに変換し得るようになっている。また、図３，図４に示すように、貯留皿体８を左右何れかの方向に選択的に回動させて排出位置に変換した状態にあっても、払出し口５が貯留皿体８内に位置するようになっており、これによって払出し口５から払い出される遊技球を連続的に排出し得るようになっている。
【００２２】
また、貯留皿体８の定常位置には、該貯留皿体８の一方の側端部８’が係脱可能に係合される保持部材１１が機体１の前面から突設されており、該保持部材１１に前記側端部８’を係合させることにより、貯留皿体８を定常位置で水平状に保持し得るようになっている。
【００２３】
かかる構成にあって、図１に示すように、保持部材１１と側端部８’との係合作用を介して、貯留皿体８を定常位置に保持した状態にあっては、払出し口５から払い出される遊技球を受け皿４内に貯留することができる。一方、入賞口に多数の遊技球が入賞可能となる大当りが発生し、大量の遊技球が払出し口５から受け皿４内に放出されるような場合には、保持部材１１と側端部８’との係合を解除し、図３，図４に示すように、支軸１０を支点として、受け皿４全体を左右何れかの方向に選択的に回動させて排出位置に変換することにより、遊技球を受け皿４の側部下方に自重で排出することができる。そして、このように遊技球を受け皿４の側部下方の左右何れかに選択的に排出することができるので、例えば、図３に示すように、受台７上に載置される移動用の貯留箱１９を、当該遊技機の専有スペース内で、受け皿４の左側に配置した状態において、遊技球の移し替えを行うことができ、さらに該貯留箱１９が満杯となった場合には、図４に示すように、受け皿４を反対側に回動させることにより、右側に配置した貯留箱１９に対して遊技球を移し替えることができる。これにより、多量の遊技球を二個の貯留箱１９，１９に簡単に振り分けることができる。また、当該遊技機の専有スペース内で、二個の貯留箱１９，１９を予め並べて配置しておくことも可能となる。
【００２４】
尚、上記第一実施例では、受け皿４を構成する貯留皿体８の形状を、左右略対称となる円弧状としたが、このような形状以外に、左右何れかに選択的に回動させることによって遊技媒体を排出できるような、左右略対称の凹状のものであってもよい。また、円弧状とする場合でも、その周面が滑らかな曲線面で構成されるもの以外に、複数の直線面及び／又は曲線面を連続させて略円弧状を呈するように形成したものであってもよい。
【００２５】
図５〜図７は、本発明をパチンコ遊技機に適用した第二実施例を示す。この実施例は、受け皿４を構成する貯留皿体８を左右非対称に形成し、一方向に回動させることによって、排出位置に変換するようにしたものである。即ち、貯留皿体８を、円弧状主壁部８ａと該円弧状主壁部８ａの下端に連成される側壁部８ｂとで構成し、その円弧状主壁部８ａの上端側を下方に回動させることにより、排出位置に変換するようにしている。ここで、貯留皿体８の前面を遮蔽する前壁部９は、貯留皿体８と一体成形されており、受け皿４全体が支軸１０を支点として回動するようになっている。また、貯留皿体８の側壁部８ｂの下部には、貯留皿体８を定常位置側に付勢する引張バネからなる付勢手段１２が配設されており、排出位置に回動された受け皿４を該付勢手段１２によって定常位置に自動復帰させ得るようになっている。
【００２６】
さらに、機体１の前面には、定常位置と排出位置間を回動する貯留皿体８の、その回動範囲を規定する二個の位置決め突起１３ａ，１３ｂからなる規定手段が配設されている。即ち、該規定手段を構成する一方の位置決め突起１３ａは、図６に示す貯留皿体８の定常位置で円弧状主壁部８ａの上端に当接して該上端のそれ以上の上方向への回動を規制しており、他方の位置決め突起１３ｂは、図７に示す貯留皿体８の排出位置で側壁部８ｂの上端に当接して、円弧状主壁部８ａの上端のそれ以上の下方向への回動を規制している。これにより、貯留皿体８を所定角度で回動させるとともに、定常位置と排出位置で確実に位置決めし、特に排出位置では貯留皿体８が揺動せず、遊技球をこぼすことなく貯留箱１９に移し替え得るようにしている。その他の構成は第一実施例と同じであり同一部分に同一符号を付して重複する説明を省略する。
【００２７】
かかる構成にあって、図６に示すように、貯留皿体８を定常位置に保持しておくことにより、払出し口５から払い出される遊技球を受け皿４内に貯留することができる。一方、入賞口に多数の遊技球が入賞可能となる大当りが発生し、大量の遊技球が払出し口５から受け皿４内に放出されるような場合には、図７に示すように、付勢手段１２の付勢力に抗して円弧状主壁部８ａの上端側を押し下げて回動させ、貯留皿体８を排出位置に変換することにより、遊技球を受け皿４の側部下方に自重で排出することができる。そして、このように受け皿４の側部下方に遊技球を排出することができるので、受台７上に載置される移動用の貯留箱１９を、当該遊技機の専有スペース内で、遊技球の排出位置に対応する側に配置した状態において、遊技球の移し替えを行うことができ、さらに該貯留箱１９が満杯となった場合には、該貯留箱１９を反対側に移動させることにより、新たに空の貯留箱を排出位置側に配置することができる。また、円弧状主壁部８ａの上端側に対する押し下げ操作を止めれば、付勢手段１２の付勢力を介して貯留皿体８を定常位置に自動復帰させることができる。
【００２８】
尚、上記第二実施例では、受け皿４を構成する貯留皿体８の形状を、円弧状主壁部８ａと側壁部８ｂとによって構成したが、このような形状以外に、一方向に回動させることによって遊技媒体を排出できるような、左右非対称の凹状のものであってもよい。また、円弧状主壁部８ａは、その周面が滑らかな曲線面で構成されるもの以外に、複数の直線面及び／又は曲線面を連続させて略円弧状を呈するように形成したものであってもよい。
【００２９】
図８，図９は第二実施例の変形実施例を示し、この実施例は上記第二実施例における受け皿４の構成をスロット遊技機に適用したものである。受け皿４の貯留皿体８は、側方に傾斜した傾斜主壁部８ｃと該傾斜主壁部８ｃの下端に連成される側壁部８ｂとで構成されており、その傾斜主壁部８ｃの上端側を下方に回動させることにより、排出位置に変換される。ここで、貯留皿体８の前面を遮蔽する前壁部９は、貯留皿体８と別体に設けられており、貯留皿体８のみが支軸１０を支点として回動するようになっている。この受け皿４は、スロット遊技機の機体１の前面下部に配設されており、該機体１に開口された払出し口５から払い出される遊技媒体としてのコインを定常位置で受け入れて、傾斜主壁部８ｃの勾配によって流動性の悪いコインを自重で側壁部８ｂ側に向けて滑落させて貯留し得るようになっている。これによって、より多くのコインを手で移動させることなく貯留できるようにしている。
【００３０】
また、傾斜主壁部８ｃの下部には、支軸１０より傾斜主壁部８ｃの上端側に位置させて、貯留皿体８を定常位置側に付勢する板バネからなる付勢手段１２が配設されており、排出位置に回動された貯留皿体８を該付勢手段１２によって定常位置に自動復帰させ得るようになっている。さらに、傾斜主壁部８ｃの上端下面には、図９に示すように、貯留箱１９の把手部２０を係合可能な係合部１４が形成されており、遊技媒体の排出時に、該係合部１４に前記把手部２０を係合して傾斜主壁部８ｃの上端を下方に押し下げ得るようになっている。
【００３１】
かかる構成にあって、図８に示すように、貯留皿体８を定常位置に保持しておくことにより、払出し口５から払い出されたコインが傾斜主壁部８ｃ上を滑落し、側壁部８ｂで堰き止められることにより受け皿４内に順次貯留される。また、受け皿４内のコインを貯留箱１９に移し替える場合には、図９に示すように、貯留箱１９の把手部２０を傾斜主壁部８ｃの係合部１４に係合させて付勢手段１２の付勢力に抗して押し下げると、該傾斜主壁部８ｃの上端側が支軸１０を支点として下方に回動し、貯留皿体８を排出位置に変換することができる。これにより、コインが貯留皿体８の側部下方に自重で排出されることとなり、従来のように、受け皿４の前壁を乗り越えさせるようにして手で何度もコインを掻き出す必要がなく、容易かつ迅速に貯留箱１９への移し替えを行うことができる。ここで、スロット遊技機にあっては、機体１の前面下部に貯留箱１９を載置する受台がないため、コインの排出時において、本来なら貯留箱１９を手で保持した状態で貯留皿体８を側部下方に回動させなければならないのであるが、上記のように貯留箱１９の把手部２０を係合可能な係合部１４が設けられていることにより、該係合部１４に貯留箱１９の把手部２０を係合させた状態で貯留箱１９を押し下げることによって貯留皿体８の回動操作を容易に行うことができる。また、係合部１４と、貯留箱１９の把手部２０との係合を解除して、傾斜主壁部８ｃの上端側に対する押し下げ操作を止めれば、付勢手段１２の付勢力を介して貯留皿体８を定常位置に自動復帰させることができる。
【００３２】
尚、上記第一実施例及び第二実施例では、受け皿４を構成する貯留皿体８と前壁部９とを一体成形した場合について説明したが、これに代えて、貯留皿体８と前壁部９とを別体にして貯留皿体８のみを回動させるようにしてもよい。また、第二実施例の変形実施例では、貯留皿体８と前壁部９とを別体にしたが、これに代えて、貯留皿体８と前壁部９とを一体に設けて受け皿４全体を回動させるようにすることも可能である。さらに、第二実施例の貯留皿体８を、スロット遊技機に適用する場合には、その回動操作を容易とするために、円弧状主壁部８ａの上端下面に貯留箱１９の把手部２０を係合可能な係合部１４を形成するようにしてもよい。
【００３３】
【発明の効果】
本発明は、上述したように、受け皿の、少なくとも遊技盤面と略直交する壁部を構成する貯留皿体を、その略中央位置で軸支して側方に回動可能に設け、該貯留皿体を、払い出された遊技媒体を受け入れる定常位置と、側部が下方に回動して貯留皿体上の遊技媒体を自重により側部下方に排出する排出位置とに変換可能に設けたから、少なくとも貯留皿体を側方に回動させて排出位置に変換することにより、受け皿内の遊技媒体を受け皿の側部下方に自重で排出することができる。これにより、パチンコ遊技機においては、受台上に載置される貯留箱を受け皿の真下位置に配置しなくても遊技球の移し替えが可能となり、隣の遊技者の専有スペースを侵すことなく、二個の貯留箱を横に並べて遊技中の遊技機の正面に配置することができる。また、スロット遊技機においても、コインを側部下方に排出することができるので、受け皿の前壁を乗り越えさせるようにして手で何度もコインを掻き出す必要がなくなり、容易かつ迅速に貯留箱への移し替えを行うことができる。
【００３４】
また、前記貯留皿体を左右略対称に形成し、左右何れかの方向に選択的に回動させることにより、排出位置に変換するようにした場合には、貯留皿体の回動方向を選択することにより、予め並べて配置した二個の貯留箱の何れにも遊技媒体を簡単に移し替えることができる。
【００３５】
また、前記貯留皿体を左右非対称に形成し、一方向に回動させることにより、排出位置に変換するようにした場合には、受け皿の一方の側部下方に遊技媒体を排出させることができるとともに、その排出側に配置した貯留箱が満杯となった場合に、該貯留箱を反対側に移動させることにより、新たに空の貯留箱を排出側に配置することができる。ここで、該貯留皿体を、円弧状主壁部と該円弧状主壁部の下端に連成される側壁部とで構成し、その円弧状主壁部の上端側を下方に回動させることにより、排出位置に変換するようにしたり、或いは、前記貯留皿体を、側方に傾斜する傾斜主壁部と該傾斜主壁部の下端に連成される側壁部とで構成し、その傾斜主壁部の上端側を下方に回動させることにより、排出位置に変換するようした場合には、円弧状主壁部又は傾斜主壁部の上端側を下方に回動させることにより、受け皿の一方の側部下方に遊技媒体を排出させることができるとともに、その排出側に配置した貯留箱が満杯となった場合に、該貯留箱を反対側に移動させることにより、新たに空の貯留箱を排出側に配置することが可能となる。
【００３６】
さらに、上記構成の受け皿にあって、少なくとも該貯留皿体を定常位置側に付勢する付勢手段を備え、排出位置に回動された貯留皿体を該付勢手段によって定常位置に自動復帰させるようにすると、排出位置に回動させた貯留皿体を定常位置にその都度戻す操作が不要となるため、手間が掛からず、また常時は貯留皿体が定常位置に保持され、払出し口から払い出された遊技媒体を円滑に受け入れることができる。
【００３７】
また、上記構成の受け皿にあって、円弧状主壁部又は傾斜主壁部の上端下面に、貯留箱の把手部を係合可能な係合部を設けるようにすれば、機体の前面下部に貯留箱を載置する受台がないスロット遊技機にあって、コインの排出時における貯留皿体の回動操作を容易に行うことが可能となる。
【図面の簡単な説明】
【図１】第一実施例にかかる受け皿を備えた遊技機の下半部分の正面図である。
【図２】同上の遊技機の受け皿を示す斜視図である。
【図３】受け皿を左側に回動させて排出位置に変換した状態を示す遊技機の下半部分の正面図である。
【図４】受け皿を右側に回動させて排出位置に変換した状態を示す遊技機の下半部分の正面図である。
【図５】第二実施例にかかる受け皿を示す斜視図である。
【図６】同上の受け皿を定常位置に変換した状態を示す遊技機の下半部分の正面図である。
【図７】同上の受け皿を排出位置に変換した状態を示す遊技機の下半部分の正面図である。
【図８】第二実施例の変形実施例にかかる受け皿を備えた遊技機の下半部分の正面図である。
【図９】同上の受け皿を排出位置に変換した状態を示す遊技機の下半部分の正面図である。
【図１０】従来構成の受け皿を備えた遊技機の下半部分の正面図である。
【符号の説明】
１  機体
４  受け皿
５  払出し口
８  貯留皿体
８ａ  円弧状主壁部
８ｂ  側壁部
８ｃ  傾斜主壁部
１２  付勢手段
１４  係合部
１９  貯留箱
２０  把手部
【図１】
0003710744.tif 000002
【図２】
0003710744.tif 000003
【図３】
0003710744.tif 000004
【図４】
0003710744.tif 000005
【図５】
0003710744.tif 000006
【図６】
0003710744.tif 000007
【図７】
0003710744.tif 000008
【図８】
0003710744.tif 000009
【図９】
0003710744.tif 000010
【図１０】
0003710744.tif 000011